(57)【要約】スマートフォンベースの連動広告出力システムに関し、クリック単価が大きい順、商品販売の可能性が高い順、及び累積積立金が多い順を考慮した露出指数に基づいて露出頻度を調節して広告の出力を行い、より大きなサイズのテキストで広告情報を出力すると共に、所定の順位に属する広告についてはユーザの閲覧確率がより高くなるようにしたスマートフォンベースの連動広告出力システムを提供する。【選択図】図３
2016530599.tif 000002
【特許請求の範囲】
【請求項１】
所定の検索結果ページが出力される検索結果出力領域１２と、前記検索結果出力領域内の所定部に出力され、前記検索結果出力領域の検索キーワードに関連した連動広告を出力する連動広告出力領域と、からなるウェブブラウザの広告出力を制御する連動広告露出アプリケーション４が搭載されたユーザ端末２と；
複数の広告主から広告情報を受け付けて登録し、前記連動広告露出アプリケーション４とリアルタイムで接続された状態で、前記検索結果出力領域１２の検索キーワードに関連した連動広告を抽出して伝送処理し、演算した露出指数により連動広告の露出頻度を制御する広告連動制御サーバ１０と；を含む
ことを特徴とするスマートフォンベースの連動広告出力システム。
【請求項２】
前記連動広告出力領域は、前記検索結果出力領域１２のうち、いずれかの検索結果情報を選択して出力する検索広告の広告主が連動広告の広告主でない場合に限り、前記広告連動制御サーバ１０から伝送された広告を出力する領域である
請求項１に記載のスマートフォンベースの連動広告出力システム。
【請求項３】
前記ユーザ端末２は、所定数の連動広告情報を前記連動広告出力領域にユーザの選択によって順に出力するように制御する端末である
請求項１に記載のスマートフォンベースの連動広告出力システム。
【請求項４】
前記広告連動制御サーバ１０は、連動広告を検索キーワード別に分類して保存し、各検索広告のＵＲＬを各検索キーワード別に予めマッチングして保存し、フックした検索広告のＵＲＬとマッチングした連動広告を抽出し、ユーザ端末２の連動広告出力領域に出力する
請求項１に記載のスマートフォンベースの連動広告出力システム。
【請求項５】
前記連動広告の出力領域は、単一の連動広告で満たされており、ユーザの操作により、次順の連動広告に入れ替えて出力するように、前記連動広告露出アプリケーション４がウェブブラウザを制御する
請求項１に記載スマートフォンベースの連動広告出力システム。
【請求項６】
前記広告連動制御サーバ１０は、前記ユーザ端末２に伝送する連動広告情報に広告の出力順序が更に含まれ、前記連動広告露出アプリケーション４は、その広告の出力順序によって連動広告を出力する
請求項１に記載のスマートフォンベースの連動広告出力システム。
【請求項７】
前記連動広告出力領域は、連動広告のクリック当たり広告費用の一部を累積加算して、ユーザの商品購買支援金として提供するための累積積立金が共に掲載された
請求項１に記載のスマートフォンベースの連動広告出力システム。
【請求項８】
前記連動広告出力領域は、出力されるいずれかの連動広告が選択されると、連動広告が前記検索広告出力領域２０を覆うように拡大出力されたメイン連動広告出力領域が生成されるように、前記連動広告露出アプリケーション４がウェブブラウザを制御する
請求項１に記載のスマートフォンベースの連動広告出力システム。
【請求項９】
前記連動広告露出アプリケーション４は、
ユーザが入力した検索キーワードをフックして、前記広告連動制御サーバ１０に提供し、その広告連動制御サーバ１０から伝送された広告データをウェブブラウザ３４に出力するように制御する広告露出制御部３６と；
ウェブブラウザ３４に出力された広告データのＵＲＬ値をフックするためのＵＲＬフック部３８と；
前記広告連動制御サーバ１０に対してリアルタイムで通信接続するためのプラットフォームアプリケーション３２を含む
請求項１に記載のスマートフォンベースの連動広告出力システム。
【請求項１０】
前記広告連動制御サーバ１０は、
検索エンジンが搭載された検索ポータルサーバーと前記連動広告露出アプリケーション４が通信接続されてデータの送受信を行うように中継する検索情報通信プロセッサ４０と；
前記連動広告露出アプリケーション４から伝送された検索キーワードとマッチングするように広告情報を予め登録して連動させる連動広告管理プロセッサ４２を含む
請求項１に記載のスマートフォンベースの連動広告出力システム。
【請求項１１】
前記広告連動制御サーバ１０は、前記ユーザ端末２から伝送された検索広告のＵＲＬが未登録の場合、不特定多数のユーザから検索広告とマッチングする検索キーワードの推薦を受ける推薦検索キーワードウェブページが前記連動広告露出アプリケーション４により出力されるように制御する
請求項１に記載のスマートフォンベースの連動広告出力システム。
【請求項１２】
前記露出指数は、クリック単価が大きい順及び商品販売率が高い順、累積積立金が多い順に適用して演算した指数であり、高い露出指数の連動広告が低い露出指数の連動広告より多く露出するように前記広告連動制御サーバ１０がウェブブラウザをモニタし、前記連動広告露出アプリケーション４を制御する
請求項１に記載のスマートフォンベースの連動広告出力システム。
【請求項１３】
前記広告連動制御サーバ１０は、検索ポータルの検索キーワード入力フィールドと連動されず、広告連動制御サーバ１０に構築された検索ＤＢを用いても、既登録広告情報を抽出する
請求項１に記載のスマートフォンベースの連動広告出力システム。
【請求項１４】
前記広告連動制御サーバ１０は、前記検索結果出力領域１２に出力された広告が、連動広告出力サービスに加入された広告主の広告であるか否かを、広告ＵＲＬが既登録したか否かに基づいて判断する
請求項１に記載のスマートフォンベースの連動広告出力システム。
【請求項１５】
前記広告連動制御サーバ１０は、予め露出順位が定められた複数の連動広告について露出順位による露出頻度で露出するように、各連動広告３０の露出回数をカウントして、露出頻度が低い連動広告は連動広告の抽出時、より頻繁に抽出するように制御する
請求項１に記載のスマートフォンベースの連動広告出力システム。
【請求項１６】
前記連動広告出力領域は、ユーザの操作により、次順または前順の連動広告に入れ替えて出力するための矢印が表示されたり、タッチ式にページめくり機能をウェブブラウザで行う
請求項５に記載のスマートフォンベースの連動広告出力システム。
【請求項１７】
前記連動広告出力領域は、ユーザの操作により、次順または前順の関連検索キーワードとマッチングした連動広告に入れ替えて出力するための矢印が上下端にそれぞれ表示されたり、上方及び下方にタッチしてページめくり機能をウェブブラウザで行う
請求項５に記載のスマートフォンベースの連動広告出力システム。
【請求項１８】
前記広告の出力順序は、所定数が抽出され、抽出された広告情報は、累積積立金が大きい順に出力する
請求項６に記載のスマートフォンベースの連動広告出力システム。
【請求項１９】
前記広告の出力順序は、所定数が抽出され、抽出された広告情報は、累積積立金と消費者の購買率を適用した露出指数が大きい順に出力するように設定した
請求項６に記載のスマートフォンベースの連動広告出力システム。
【請求項２０】
前記広告の出力順序は、所定数が抽出され、抽出された広告情報の１順位は露出指数が大きい順に出力し、２順位から残りの順位はランダムに出力するように設定した
請求項６に記載のスマートフォンベースの連動広告出力システム。
【請求項２１】
前記広告の出力順序は、所定数が抽出され、抽出された広告情報は、ランダムに出力するように設定した
請求項１に記載のスマートフォンベースの連動広告出力システム。
【請求項２２】
前記累積積立金は、ユーザの商品購買信号発生時に購買支援金として提供し、広告主の設定要求に応じて累積積立金のリセット時に、所定金額が自動的に蓄積されるように広告連動制御サーバ１０が行う
請求項７に記載のスマートフォンベースの連動広告出力システム。
【請求項２３】
前記連動広告出力領域には、一定経路を通じて連動広告が出力される時、追加のインセンティブ積立金を画面に出力するように広告連動制御サーバ１０が処理する
請求項８に記載のスマートフォンベースの連動広告出力システム。
【請求項２４】
前記メイン連動広告出力領域は、ユーザの操作により、次順または前順の連動広告に入れ替えて出力するための矢印が表示されたり、タッチ式にページめくり機能をウェブブラウザで行うように設定した
請求項８に記載スマートフォンベースの連動広告出力システム。
【請求項２５】
前記メイン連動広告出力領域でマッチングした検索キーワードと異なるリンク情報に関するユーザの選択信号が受信されると、広告連動制御サーバ１０は、ユーザの端末に出力する連動広告を新規に選択したリンク情報とマッチングした連動広告に入れ替えて伝送する
請求項８に記載のスマートフォンベースの連動広告出力システム。
【請求項２６】
前記広告連動制御サーバ１０は、ウェブブラウザに出力される広告情報のＵＲＬ値と検索キーワードをマッチングして登録、管理するＵＲＬ別検索キーワード判断プロセッサ５０を含む
請求項１０に記載のスマートフォンベースの連動広告出力システム。
【請求項２７】
前記広告連動制御サーバ１０は、ウェブブラウザに出力される広告情報のＵＲＬ値とマッチングした検索キーワードを抽出し、検索キーワードとマッチングして登録した所定の連動広告情報を抽出して出力順序別にソートする順位ソートプロセッサ５２を含む
請求項１０に記載のスマートフォンベースの連動広告出力システム。
【請求項２８】
前記広告連動制御サーバ１０は、ウェブブラウザに出力される広告情報とマッチングした連動広告の露出情報を演算する露出頻度演算プロセッサ５４と；
既設定した露出指数に応じて露出するように処理して連動広告の出力を制御する制御部４８を含む
請求項１０に記載のスマートフォンベースの連動広告出力システム。
【請求項２９】
前記推薦検索キーワードウェブページには、複数の推薦検索キーワード情報と、各推薦検索キーワードをアップロードしたユーザの情報を更に表示するように広告連動制御サーバ１０に登録した
請求項１１に記載のスマートフォンベースの連動広告出力システム。
【発明の詳細な説明】
【技術分野】
【０００１】
本発明は、スマートフォンベースの連動広告出力システムに関するもので、詳細には、携帯端末のウェブブラウザに露出される広告をより効果的に出力するスマートフォンベースの連動広告出力システムに関するものである。
【背景技術】
【０００２】
オンライン広告市場と、ショッピング市場は、多くのお客様に広告やショッピング情報を効果的に露出させて、商品やサービス（以下、総称して「商品」という。）の販売にまで至るように誘導することを目的とする市場である。これらの目的を達成するために、様々な広告手法やショッピング活性化技法を導入している。
しかし、オンライン広告を掲載したり露出させることができるオンライン空間には限界があるので、広告主は、自分たちの広告をオンライン空間に露出させることができるようにするために邁進していることが実情である。
これを反映して、Ｇｏｏｇｌｅを含む検索ポータルサイトでは、検索結果情報を並べる時、クリック単価（ｃｏｓｔ−ｐｅｒ−ｃｌｉｃｋ、ＣＰＣ）を競売を通じて受け付けると共に、検索結果をＣＰＣ金額が大きい順にソートする技術を開発し、特許登録を受けた。
しかし、このような従来の検索ポータルの広告露出方法は、その検索結果により露出した情報のうち、最上位の情報のみをユーザが注目する問題がある。実際に、最上位の情報のクリック率が７５％を上回っており、残りの下位の４個から５個は、クリック率が著しく低い問題がある。
【０００３】
一方、他の広告手法の例として、本出願人が出願したもので、複数の顧客が広告を閲覧した時に与えられる積立金を統合処理して、リアルタイムで累積し、その累積した積立金をいずれかのお客様の購買時の購買代金の割引率で提供する。それによって、広告閲覧やショッピングが活性化されるようにした「会員統合積立型ポイント提供システム及びその提供方法（特許文献１、２）」がある。
これらの「会員統合積立型ポイント提供システム及びその提供方法」をより効果的に活用するためには、広告情報の露出頻度と、これに対するユーザの閲覧程度をより高める必要がある。
ところが、ウェブブラウザを通じて出力されるウェブページ上に広告情報を単に露出させるような、従来の広告露出方法では、広告情報の露出頻度と、これに対するユーザの閲覧量を大幅に向上させるには限界がある。
更に、Ｇｏｏｇｌｅのように、検索結果情報を大略５位程度まで露出させる方式は、画面の大きいＰＣに適用することができるが、画面の小さいスマートフォンにおいては、検索結果情報を正しく見ることが難しい場合がある。従って、上位の検索結果のクリック率が、より高まり、それによって全体的な広告の閲覧量が低下するなどの問題がある。
【先行技術文献】
【特許文献】
【０００４】
【特許文献１】韓国特許出願第１０−２００６−４５９００号公報
【特許文献２】韓国特許出願第１０−２００６−５６６５５号公報
【発明の概要】
【発明が解決しようとする課題】
【０００５】
本発明は、前述した従来技術の事情に鑑みてなされたもので、クリック単価が大きい順、商品販売の可能性が高い順、及び累積積立金が多い順を考慮した露出指数に基づいて露出頻度を調節して広告の出力を行い、より大きなサイズのテキストで広告情報を出力すると共に、所定の順位に属する広告についてはユーザの閲覧確率がより高くなるようにしたスマートフォンベースの連動広告出力システムを提供することにその目的がある。
【課題を解決するための手段】
【０００６】
前述した目的を達成するために、本発明の一態様に係るスマートフォンベースの連動広告出力システムは、所定の検索結果ページが出力される検索結果出力領域１２と、前記検索結果出力領域内の所定部に出力され、前記検索結果出力領域の検索キーワードに関連した連動広告を出力する連動広告出力領域と、からなるウェブブラウザの広告出力を制御する連動広告露出アプリケーション４が搭載されたユーザ端末２と；複数の広告主から広告情報を受け付けて登録し、前記連動広告露出アプリケーション４とリアルタイムで接続された状態で、前記検索結果出力領域１２の検索キーワードに関連した連動広告を抽出して伝送処理し、演算した露出指数により連動広告の露出頻度を制御する広告連動制御サーバ１０と；を含むことを特徴とする。
【０００７】
好ましくは、本発明に係るスマートフォンベースの連動広告出力システムにおいて、前記連動広告出力領域は、前記検索結果出力領域１２のうち、いずれかの検索結果情報を選択して出力する検索広告の広告主が連動広告の広告主でない場合に限り、前記広告連動制御サーバ１０から伝送された広告を出力する領域であることを特徴とする。
【０００８】
好ましくは、本発明に係るスマートフォンベースの連動広告出力システムにおいて、前記ユーザ端末２は、所定数の連動広告情報を前記連動広告出力領域にユーザの選択によって順に出力するように制御する端末であることを特徴とする。
【０００９】
好ましくは、本発明に係るスマートフォンベースの連動広告出力システムにおいて、前記広告連動制御サーバ１０は、連動広告を検索キーワード別に分類して保存し、各検索広告のＵＲＬを各検索キーワード別に予めマッチングして保存し、フックした検索広告のＵＲＬとマッチングした連動広告を抽出してユーザ端末２の連動広告出力領域に出力することを特徴とする。
【００１０】
好ましくは、本発明に係るスマートフォンベースの連動広告出力システムにおいて、前記連動広告の出力領域は、単一の連動広告で満たされており、ユーザの操作により、次順の連動広告に入れ替えて出力するように、前記連動広告露出アプリケーション４がウェブブラウザを制御することを特徴とする。
【００１１】
好ましくは、本発明に係るスマートフォンベースの連動広告出力システムにおいて、前記広告連動制御サーバ１０は、前記ユーザ端末２に伝送する連動広告情報に広告の出力順序が更に含まれ、前記連動広告露出アプリケーション４は、その広告の出力順序によって連動広告を出力することを特徴とする。
【００１２】
好ましくは、本発明に係るスマートフォンベースの連動広告出力システムにおいて、前記連動広告出力領域は、連動広告のクリック当たり広告費用の一部を累積加算して、ユーザの商品購買支援金として提供するための累積積立金が共に掲載されたことを特徴とする。
【００１３】
好ましくは、本発明に係るスマートフォンベースの連動広告出力システムにおいて、前記連動広告出力領域は、出力されるいずれかの連動広告が選択されると、連動広告が前記検索広告出力領域２０を覆うように拡大出力されたメイン連動広告出力領域が生成されるように、前記連動広告露出アプリケーション４が、ウェブブラウザを制御することを特徴とする。
【００１４】
好ましくは、本発明に係るスマートフォンベースの連動広告出力システムにおいて、前記連動広告露出アプリケーション４は、ユーザが入力した検索キーワードをフックして、前記広告連動制御サーバ１０に提供し、その広告連動制御サーバ１０から伝送された広告データをウェブブラウザ３４に出力するように制御する広告露出制御部３６と；ウェブブラウザ３４に出力された広告データのＵＲＬ値をフックするためのＵＲＬフック部３８と；前記広告連動制御サーバ１０に対してリアルタイムで通信接続するためのプラットフォームアプリケーション３２を含むことを特徴とする。
【００１５】
好ましくは、本発明に係るスマートフォンベースの連動広告出力システムにおいて、前記広告連動制御サーバ１０は、検索エンジンが搭載された検索ポータルサーバーと前記連動広告露出アプリケーション４が通信接続されてデータの送受信を行うように中継する検索情報通信プロセッサ４０と；前記連動広告露出アプリケーション４から伝送された検索キーワードとマッチングするように広告情報を予め登録して連動させる連動広告管理プロセッサ４２を含むことを特徴とする。
【００１６】
好ましくは、本発明に係るスマートフォンベースの連動広告出力システムにおいて、前記広告連動制御サーバ１０は、前記ユーザ端末２から伝送された検索広告のＵＲＬが未登録の場合、不特定多数のユーザから検索広告とマッチングする検索キーワードの推薦を受ける推薦検索キーワードウェブページが前記連動広告露出アプリケーション４により出力されるように制御することを特徴とする。
【００１７】
好ましくは、本発明に係るスマートフォンベースの連動広告出力システムにおいて、前記露出指数は、クリック単価が大きい順及び商品販売率が高い順、累積積立金が多い順に適用して演算した指数であり、高い露出指数の連動広告が低い露出指数の連動広告より多く露出するように前記広告連動制御サーバ１０からウェブブラウザをモニタし、前記連動広告露出アプリケーション４を制御することを特徴とする。
【００１８】
好ましくは、本発明に係るスマートフォンベースの連動広告出力システムにおいて、前記広告連動制御サーバ１０は、検索ポータルの検索キーワード入力フィールドと連動されず、広告連動制御サーバ１０に構築された検索ＤＢを用いても、既登録広告情報を抽出するようになったことを特徴とする。
【００１９】
好ましくは、本発明に係るスマートフォンベースの連動広告出力システムにおいて、前記広告連動制御サーバ１０は、前記検索結果出力領域１２に出力された広告が、連動広告出力サービスに加入された広告主の広告であるか否かを、広告ＵＲＬが既登録したか否かに基づいて判断することを特徴とする。
【００２０】
好ましくは、本発明に係るスマートフォンベースの連動広告出力システムにおいて、前記広告連動制御サーバ１０は、予め露出順位が定められた複数の連動広告について露出順位による露出頻度で露出するように、各連動広告３０の露出回数をカウントして、露出頻度が低い連動広告は連動広告の抽出時、より頻繁に抽出するように制御することを特徴とする。
【００２１】
好ましくは、本発明に係るスマートフォンベースの連動広告出力システムにおいて、前記連動広告出力領域は、ユーザの操作により、次順または前順の連動広告に入れ替えて出力するための矢印が表示されたり、タッチ式にページめくり機能をウェブブラウザで行うように設定したことを特徴とする。
【００２２】
好ましくは、本発明に係るスマートフォンベースの連動広告出力システムにおいて、前記連動広告出力領域は、ユーザの操作により、次順または前順の関連検索キーワードとマッチングした連動広告に入れ替えて出力するための矢印が上下端にそれぞれ表示されたり、上方及び下方にタッチしてページめくり機能このウェブブラウザで行うように設定したことを特徴とする。
【００２３】
好ましくは、本発明に係るスマートフォンベースの連動広告出力システムにおいて、前記広告の出力順序は、所定数が抽出され、抽出された広告情報は、累積積立金が大きい順に出力するように設定したことを特徴とする。
【００２４】
好ましくは、本発明に係るスマートフォンベースの連動広告出力システムにおいて、前記広告の出力順序は、所定数が抽出され、抽出された広告情報は、累積積立金と消費者の購買率を適用した露出指数が大きい順に出力するように設定したことを特徴とする。
【００２５】
好ましくは、本発明に係るスマートフォンベースの連動広告出力システムにおいて、前記広告の出力順序は、所定数が抽出され、抽出された広告情報の１順位は露出指数が大きい順に出力し、２順位から残りの順位はランダムに出力するように設定したことを特徴とする。
【００２６】
好ましくは、本発明に係るスマートフォンベースの連動広告出力システムにおいて、前記広告の出力順序は、所定数が抽出され、抽出された広告情報は、ランダムに出力するように設定したことを特徴とする。
【００２７】
好ましくは、本発明に係るスマートフォンベースの連動広告出力システムにおいて、前記累積積立金は、ユーザの商品購買信号発生時に購買支援金として提供し、広告主の設定要求に応じて累積積立金のリセット時に、所定金額が自動的に蓄積されるように広告連動制御サーバ１０が行うようにしたことを特徴とする。
【００２８】
好ましくは、本発明に係るスマートフォンベースの連動広告出力システムにおいて、前記連動広告出力領域には、一定経路を通じて連動広告が出力される時、追加のインセンティブ積立金を画面に出力するように広告連動制御サーバ１０が処理することを特徴とする。
【００２９】
好ましくは、本発明に係るスマートフォンベースの連動広告出力システムにおいて、前記メイン連動広告出力領域は、ユーザの操作により、次順または前順の連動広告に入れ替えて出力するための矢印が表示されたり、タッチ式にページめくり機能をウェブブラウザで行うように設定したことを特徴とする。
【００３０】
好ましくは、本発明に係るスマートフォンベースの連動広告出力システムにおいて、前記メイン連動広告出力領域でマッチングした検索キーワードと異なるリンク情報に関するユーザの選択信号が受信されると、広告連動制御サーバ１０は、ユーザの端末に出力する連動広告を新規に選択したリンク情報とマッチングした連動広告に入れ替えて伝送したことを特徴とする。
【００３１】
好ましくは、本発明に係るスマートフォンベースの連動広告出力システムにおいて、前記広告連動制御サーバ１０は、ウェブブラウザに出力される広告情報のＵＲＬ値と検索キーワードをマッチングして登録、管理するＵＲＬ別検索キーワード判断プロセッサ５０を含むことを特徴とする。
【００３２】
好ましくは、本発明に係るスマートフォンベースの連動広告出力システムにおいて、前記広告連動制御サーバ１０は、ウェブブラウザに出力される広告情報のＵＲＬ値とマッチングした検索キーワードを抽出し、検索キーワードとマッチングして登録した所定の連動広告情報を抽出して出力順序別にソートする順位ソートプロセッサ５２を更に含むことを特徴とする。
【００３３】
好ましくは、本発明に係るスマートフォンベースの連動広告出力システムにおいて、前記広告連動制御サーバ１０は、ウェブブラウザに出力される広告情報とマッチングした連動広告の露出情報を演算する露出頻度演算プロセッサ５４と；既設定した露出指数に応じて露出するように処理して連動広告の出力を制御する制御部４８を更に含むことを特徴とする。
【００３４】
好ましくは、本発明に係るスマートフォンベースの連動広告出力システムにおいて、前記推薦検索キーワードウェブページには、複数の推薦検索キーワード情報と、各推薦検索キーワードをアップロードしたユーザの情報を更に表示するように広告連動制御サーバ１０に登録したことを特徴とする。
【発明の効果】
【００３５】
本発明に係るスマートフォンベースの連動広告出力システムは、ユーザ端末に出力されるＵＲＬベースのいかなるウェブページもユーザに購買支援金を提供する連動広告を添付して出力することができるので、ユーザの購買のための選択の幅を広げることができ、マッチングした検索キーワードが未登録のＵＲＬでもユーザの推薦を受けて登録することができるので、検索キーワード登録の客観性を維持することができ、ユーザの購買に有利な広告主の条件や状況を反映した露出指数の順位に応じて出力可能な連動広告の数及び順序が決定されるので、利便性と経済性が高い長所がある。
【図面の簡単な説明】
【００３６】
【図１】本発明の一実施形態に係るスマートフォンベースの連動広告出力システムの構成を概略的に示すブロック図。
【図２】本発明の一実施形態に係るスマートフォンベースの連動広告出力システムに含まれたウェブブラウザの検索結果の出力状態を示す説明図。
【図３】本発明の一実施形態に係るスマートフォンベースの連動広告出力システムを通じてウェブブラウザに出力される検索結果と連動広告情報を示す説明図。
【図４】本発明の一実施形態に係るスマートフォンベースの連動広告出力システムを通じてウェブブラウザに出力される検索結果を選択した後、画面と連動広告情報を変更した状態を示す説明図。
【図５】本発明の一実施形態に係るスマートフォンベースの連動広告出力システムに含まれたユーザ端末と広告連動制御サーバの主要構成を示すブロック図。
【図６】本発明の一実施形態に係るスマートフォンベースの連動広告出力システムに含まれた広告連動制御サーバの構成を示すブロック構成図。
【図７】本発明の一実施形態に係るスマートフォンベースの連動広告出力システムの信号の流れを示すフローチャート。
【図８】本発明の一実施形態に係るスマートフォンベースの連動広告出力システムを通じた検索キーワード推薦過程を示すフローチャート。
【図９】本発明の一実施形態に係るスマートフォンベースの連動広告出力システムを通じた連動広告情報の画面拡大状態を示す説明図。
【図１０】本発明の一実施形態に係るスマートフォンベースの連動広告出力システムに含まれた検索キーワード推薦ウィンドウの構成を示す説明図。
【図１１】本発明の一実施形態に係るスマートフォンベースの連動広告出力システムを通じた露出指数演算要素を示す説明図。
【図１２】本発明の一実施形態に係るスマートフォンベースの連動広告出力システムに応じた露出指数別露出頻度の調節過程を示すフローチャート。
【図１３】本発明の他の実施形態に係るスマートフォンベースの連動広告出力システムを通じてウェブブラウザに出力される検索結果を選択した後、画面と連動広告情報の検索キーワードを変更した状態を示す説明図
【図１４】本発明の他の実施形態に係るスマートフォンベースの連動広告出力システムを通じて出力した累積積立金の処理状態を示す説明図
【図１５】本発明の他の実施形態に係るスマートフォンベースの連動広告出力システムを通じて出力した予想外累積積立金の処理状態を示す説明図
【図１６】本発明の他の実施形態に係るスマートフォンベースの連動広告出力システムを通じて出力した連動広告の出力操作の状態を示す説明図
【発明を実施するための最良の形態】
【００３７】
以下、添付図面を参照しながら本発明の好ましい実施形態について詳細に説明する。
図１は本発明の一実施形態に係るスマートフォンベースの連動広告出力システムの構成を概略的に示すブロック図であり、図２は本発明の一実施形態に係るスマートフォンベースの連動広告出力システムに含まれていされたウェブブラウザの検索結果の出力状態を示す図であり、図３は本発明の一実施形態に係るスマートフォンベースの連動広告出力システムを通じてウェブブラウザに出力される検索結果と連動広告情報を示す図であり、図４は本発明の一実施形態に係るスマートフォンベースの連動広告出力システムを通じてウェブブラウザに出力される検索結果を選択した後、画面と連動広告情報を変更した状態を示す図である。
【００３８】
図１乃至図４を参照すると、本発明の一実施形態に係るスマートフォンベースの連動広告出力システムは、クリック単価が大きい順、商品販売の可能性が高い順、及び累積積立金が多い順を考慮した露出指数に基づいて露出頻度を調節して広告の出力を行い、より大きなサイズのテキストで広告情報を出力すると共に、所定の順位に属する広告についてはユーザの閲覧確率がより高くなるようにしたシステムである。
より詳細に、本発明の一実施形態に係るスマートフォンベースの連動広告出力システムは、検索キーワードを入力して画面出力した検索結果のうち、ユーザがいずれかの検索情報を選択して画面に出力すると、検索情報のＵＲＬフックを通じて検索情報と同一カテゴリーの広告情報のうち、より多くの利益をユーザに提供することができる広告情報の順にユーザが閲覧できるように提供する。それによって、様々な購買割引特典をリアルタイムで提供することができ、迅速に、より多くの利益を提供する広告情報のみを選別して閲覧できる。従って、経済性と利便性の高いシステムである。
これらの情報処理のための画面出力は、ユーザ端末２で行われる。ユーザ端末２には特定のサーバーと通信するためのプラットフォームアプリケーション機能、画面出力を制御する機能、及び検索広告のＵＲＬフックの機能を行う連動広告露出アプリケーション４が搭載されている。
より詳細に、本発明の一実施形態に係るスマートフォンベースの連動広告出力システムは、所定の検索結果ページが出力される検索結果出力領域１２と、検索結果出力領域１２内の所定部に出力され、検索結果出力領域１２の検索キーワードに関連した連動広告を出力する連動広告出力領域と、からなるウェブブラウザの広告出力を制御する連動広告露出アプリケーション４が搭載されたユーザ端末２と；を含んで構成される。
【００３９】
また、本発明の一実施形態に係るスマートフォンベースの連動広告出力システムは、複数の広告主から広告情報を受け付けて登録し、連動広告露出アプリケーション４とリアルタイムで接続された状態で、検索結果出力領域１２の検索キーワードに関連した連動広告を抽出して伝送処理し、演算した露出指数により連動広告の露出頻度を制御する広告連動制御サーバ１０と；を含んで構成される。
即ち、本発明の一実施形態に係るスマートフォンベースの連動広告出力システムは、検索ポータルや連動広告露出アプリケーション４と連動した検索エンジンに特定の検索キーワードを入力して出力した検索結果のうち、いずれかの検索結果を閲覧する際、閲覧、検索結果情報をフックして、検索結果情報とマッチングするカテゴリーの広告情報（即ち、連動広告情報）を、検索結果情報の出力領域の下端に別途に出力するシステムである。
【００４０】
特に、本発明の一実施形態に係るスマートフォンベースの連動広告出力システムに構成されたユーザ端末２は携帯端末であるため、複数の連動広告をユーザの操作により順次的に閲覧することができるようにする。それによって、広告閲覧時に均一の集中度を持たせすることができ、閲覧に支障を受けないように、大きなサイズのテキストで広告情報を出力することができる。
従って、本発明の一実施形態に係るスマートフォンベースの連動広告出力システムは、ユーザ端末２に連動広告露出アプリケーション４を広告連動制御サーバ１０からダウンロードしてインストールし、連動広告露出アプリケーション４を駆動させた状態で、いずれかの検索ポータルのメインページに備えられた検索キーワード入力フィールド１４に特定の検索キーワード（例えば、花束）を入力し、検索ボタン１６をクリックすると、例えば、○○○花の配達１８ａと×××花の配達１８ｂなどのハイパーテキストが検索結果出力領域１２に出力される。
この時、検索キーワード入力フィールド１４は前述したように、いずれかの検索ポータルのメインページに備えられた検索キーワード入力フィールド１４でもよく、広告連動制御サーバ１０から個別に構築した検索ＤＢと連動する検索キーワード入力フィールド１４でもよい。
ユーザは検索結果出力領域１２に出力される○○○花の配達１８ａと×××花の配達１８ｂのように記載されたハイパーリンクのいずれか、例えば、○○○花の配達１８ａを選択すると、連動広告露出アプリケーション４は、検索広告提供サーバ６から伝送された検索広告データを、図３に示すように、検索広告出力領域２０に出力する。
この時、連動広告露出アプリケーション４は検索広告のＵＲＬ情報をフックして広告連動制御サーバ１０に伝送する。検索広告のＵＲＬ情報をフックする技術は公知の技術である。
【００４１】
一方、広告連動制御サーバ１０は検索エンジンを通じて出力可能な各検索広告のＵＲＬを各検索キーワード別に予めマッチングして保存しており、連動広告サービスの提供を受けようとする広告主の連動広告を各検索キーワード別に分類して保存している。それによって、フックした検索広告のＵＲＬとマッチングした連動広告を抽出し、ユーザ端末２の連動広告出力領域２２に出力することができる。
この時、連動広告は検索キーワード（カテゴリーや分類キーワードに表現することも可能である）が検索広告出力領域２０に出力される広告と連動した広告を意味するもので、ユーザが望むが、検索広告出力領域２０から出力されない広告を検索広告と同じ画面に出力する広告である。
本発明の図面においては、連動広告をスマートサーチ広告、スマートサーチＡＤ、ＳＳＡＤとしても表現したが、全て連動広告を意味する。
例えば、大型ポータルや大型ショッピングモールはアフィリエイト自体だけでも広告主が多くの費用を支払わなければならない。この過程で、広告費の一部をむしろ消費者に提供しようとする広告主が連動広告サービスを要求することもできる。
【００４２】
好ましくは、連動広告出力領域２２は検索広告出力領域２０の下端に設けられる。
前述したように、連動広告はユーザに広告費の一部を支援する。この時、サポートするものは金額支援に限り、実際には商品を購買するバイヤーに購買支援金として提供する。
即ち、連動広告を閲覧する時点に、積立金が検索キーワードまたは連動広告ごとに累積され、検索キーワードにより分類した商品を購買したり、連動広告の商品を購買する場合は、購買支援金として提供する。
従って、連動広告出力領域２２には検索キーワードまたは連動広告ごとに累積された累積積立金情報２４が出力される。
【００４３】
また、広告連動制御サーバ１０に連動広告情報を提供する手段は連動広告主端末８である。
好ましくは、連動広告出力領域２２は、検索広告出力領域２０に出力される検索広告の広告主が連動広告サービスの提供を受けようとする広告主でない場合に限って、広告連動制御サーバ１０から伝送された広告を出力する領域である。広告連動制御サーバ１０は、検索広告出力領域２０に出力される検索広告の広告主が連動広告サービスの提供を受けようとする広告主であるか否かを、前述したようにＵＲＬの比較により検出する。
いずれかの検索広告が代表検索キーワードでマッチングされていない場合には、ユーザから検索広告の推薦を受けて、広告連動制御サーバ１０に登録する。即ち、広告連動制御サーバ１０はユーザ端末２から伝送された検索広告のＵＲＬが未登録の場合、不特定多数のユーザから検索広告とマッチングする検索キーワードの推薦を受ける推薦検索キーワードウェブページが、連動広告露出アプリケーション４により出力されるように制御する。これについて詳細は後述する。
もっと好ましくは、広告連動制御サーバ１０はユーザ端末２に伝送する複数の連動広告情報３０を抽出して伝送する。所定数に含まれる連動広告情報３０の抽出と、抽出した連動広告情報３０の出力順序のソートは、広告連動制御サーバ１０により特定の方法で処理し、その特定の方法について詳細は後述する。
【００４４】
また、広告連動制御サーバ１０から抽出した所定数の連動広告情報３０はユーザ端末２の連動広告露出アプリケーション４に伝送する。連動広告露出アプリケーション４は連動広告情報３０を保存し、ユーザのキー操作により必要に応じて連動広告情報３０を順に出力することができるよう構成される。
本発明のユーザ端末２はスマートフォンのような携帯端末であるため、ウェブ上の情報を公開することができるモニターのサイズは小さい。従って、連動広告露出アプリケーション４が広告連動制御サーバ１０から提供された連動広告情報３０を一度に全ての画面出力することではなく、ユーザの選択によって順次的に連動広告出力領域２２に出力するように構成される。
即ち、連動広告出力領域２２に第１のスマートサーチ広告３０Ａが出力された場合、ユーザの操作により、次順の連動広告情報（例えば、第２のスマートサーチ広告：３０Ｂ）を入れ替えて出力することができるように、連動広告露出アプリケーション４がウェブブラウザを制御する。
【００４５】
同様に、ユーザは継続的にキーを操作して、第３、４、５、スマートサーチ広告３０Ｃ、３０Ｄ、３０Ｅを画面出力することができ、第５スマートサーチ広告３０Ｅが出力された状態で、反対方向にキーを操作して第４スマートサーチ広告３０Ｄを画面出力することも可能である。
つまり、広告連動制御サーバ１０は、ユーザ端末２に伝送する連動広告情報３０に広告の出力順序の情報が更に含まれ、連動広告露出アプリケーション４は、その広告の出力順序情報によって連動広告情報３０を出力するように制御する。
この時、連動広告出力領域２２でユーザの操作により、次順または前順の連動広告情報３０を出力することができるように連動広告出力領域２２には矢印が表示されたり、タッチ式にページめくり機能をウェブブラウザで行うように設定する。
ユーザが複数の連動広告情報３０を順次的に閲覧する途中、いずれかの連動広告情報３０Ａ、３０Ｂ、３０Ｃ、３０Ｄ、３０Ｅをクリックして詳細情報を閲覧することができるように、各連動広告情報３０Ａ、３０Ｂ、３０Ｃ、３０Ｄ、３０Ｅには連動広告のクリック当たり広告費用の一部を累積加算して、ユーザの商品購買支援金として提供するための累積積立金情報２４が共に掲載される。
複数の連動広告情報３０Ａ、３０Ｂ、３０Ｃ、３０Ｄ、３０Ｅのうち、いずれかの連動広告情報をユーザがタッチして選択すると、図４に示すように連動広告が検索広告出力領域２０を覆うように拡大出力されるメイン連動広告出力領域２５を生成するように連動広告露出アプリケーション４がウェブブラウザを制御する。
【００４６】
また、メイン連動広告出力領域２５にもユーザの操作により、次順または前順の連動広告に入れ替えて出力するための矢印２６が表示されたり、タッチ式にページめくり機能をウェブブラウザで行うように設定する。
広告の出力順序は様々な順序のソート条件により定まることができるが、好ましくは抽出された所定数の広告情報の累積積立金が大きい順に出力するように設定することも可能である。これについての詳細も後述する。
【００４７】
図５は本発明の一実施形態に係るスマートフォンベースの連動広告出力システムに含まれたユーザ端末と広告連動制御サーバの主要構成を示すブロック図である。
図５を参照すると、本発明の一実施形態に係るスマートフォンベースの連動広告出力システムは、ユーザ端末２が含まれ、ユーザ端末２が広告連動制御サーバ１０と通信して、ユーザ端末２の画面に出力された広告情報をサーバーに提供し、特定の広告情報をサーバから受信して画面出力するように制御する連動広告露出アプリケーション４がユーザ端末２に搭載されている。
この時、連動広告露出アプリケーション４は、ユーザが入力した検索キーワードをフックして広告連動制御サーバ１０に提供し、その広告連動制御サーバ１０から伝送された広告データをウェブブラウザ３４に出力するように制御する広告露出制御部３６と；ウェブブラウザ３４に出力された広告データのＵＲＬ値をフックするためのＵＲＬフック部３８と；広告連動制御サーバ１０に対してリアルタイムで通信接続するためのプラットフォームアプリケーション３２と；を含んで構成される。
また、広告連動制御サーバ１０は検索エンジンが搭載された検索ポータルサーバーと連動広告露出アプリケーション４が通信接続されてデータの送受信を行うように中継する検索情報通信プロセッサ４０と；連動広告露出アプリケーション４から伝送された検索キーワードとマッチングするように広告情報を予め登録して連動させる連動広告管理プロセッサ４２と；を含んで構成される。
【００４８】
図６は本発明の一実施形態に係るスマートフォンベースの連動広告出力システムに含まれた広告連動制御サーバの構成を示すブロック構成図である。
図６を参照すると、本発明の一実施形態に係るスマートフォンベースの連動広告出力システムに含まれた広告連動制御サーバ１０は、内部にユーザを認証するための通常の認証処理部（ａｕｔｈｅｎｔｉｃａｔｉｏｎ  ｃｅｎｔｅｒ、ＡＵＣ）４４と；ユーザ端末２のデータを送受信するためのデータ受信部４６Ａ及びデータ伝送部４６Ｂと；を含む。
また、広告連動制御サーバ１０は、検索エンジンが搭載された検索ポータルサーバーと連動広告露出アプリケーション４が通信接続されてデータの送受信を行うように中継する検索情報通信プロセッサ４０と；連動広告露出アプリケーション４から伝送された検索キーワードとマッチングするように広告情報を予め登録して連動させる連動広告管理プロセッサ４２と；を含む。
なお、広告連動制御サーバ１０は、ウェブブラウザに出力される広告情報のＵＲＬ値と検索キーワードをマッチングして登録、管理するＵＲＬ別検索キーワード判断プロセッサ５０を更に含む。
また、広告連動制御サーバ１０は、ウェブブラウザに出力される広告情報のＵＲＬ値とマッチングした検索キーワードを抽出し、検索キーワードとマッチングして登録した所定の連動広告情報を抽出して出力順序別にソートする順位ソートプロセッサ５２と；ウェブブラウザに出力される広告情報とマッチングした連動広告の露出情報を演算する露出頻度演算プロセッサ５４と；既設定した露出指数に応じて露出するように処理して連動広告の出力を制御する制御部４８と；を更に含む。
【００４９】
一方、広告連動制御サーバ１０は、連動広告露出アプリケーション４をユーザ端末２にダウンロード可能に保存し、各検索キーワード別広告情報のＵＲＬマッチング情報、各検索キーワード別連動広告情報のマッチング情報、連動広告情報を保存するためのデータベース５０と；を含んで構成される。
次に、前述した構成を有する本発明の一実施形態に係るスマートフォンベースの連動広告出力システムの機能と作用について、添付図面を参照して詳細に説明する。
【００５０】
図７は本発明の一実施形態に係るスマートフォンベースの連動広告出力システムの信号の流れを示すフローチャートであり、図８は本発明の一実施形態に係るスマートフォンベースの連動広告出力システムを通じた検索キーワード推薦過程を示すフローチャートであり、図９は本発明の一実施形態に係るスマートフォンベースの連動広告出力システムを通じた連動広告情報の画面拡大状態を示す図であり、図１０は本発明の一実施形態に応じたスマートフォンベースの連動広告出力システムに含まれた検索キーワード推薦ウィンドウの構成を示す図である。
【００５１】
本発明の一実施形態に係るスマートフォンベースの連動広告出力システムを通じた信号の流れを調べてみると、まず、ユーザ端末２に連動広告露出アプリケーション４を広告連動制御サーバ１０からダウンロードしてインストールし、連動広告露出アプリケーション４を駆動させる。
この状態で、いずれかの検索ポータルのメインページにアクセスし、そのメインページの検索キーワード入力フィールド１４に特定の検索キーワード（例えば、花束）を入力し、検索ボタン１６をクリックすると、検索結果出力領域１２には複数の検索結果情報（例えば、○○○花の配達１８ａと×××花の配達１８ｂなど）に関するハイパーテキストが出力される。
その後、ユーザは検索結果出力領域１２に出力される複数のハイパーリンクのうち、いずれかのハイパーリンク（例えば、○○○花の配達１８ａ）を選択することができる。ユーザが特定のハイパーリンクを選択すると、連動広告露出アプリケーション４は検索広告提供サーバ６から伝送された検索広告データを検索広告出力領域２０に出力する。
次に、連動広告露出アプリケーション４は検索広告のＵＲＬ情報をフックして広告連動制御サーバ１０に伝送する。
それによって、広告連動制御サーバ１０はフックした検索広告のＵＲＬを通じて、検索広告出力領域２０に出力される検索広告の広告主が連動広告サービスの提供を受けようとする広告主であるか否かを判断する。即ち、検索広告出力領域２０に出力された広告が、本発明の連動広告出力サービスを利用する広告主である場合は、連動広告出力領域２２には検索広告出力領域２０に出力された広告商品の累積積立金情報のみ出力され、連動広告情報は出力されない。
【００５２】
一方、検索広告出力領域２０に出力される検索広告の広告主が連動広告サービスの提供を受けようとする広告主でない場合に、広告連動制御サーバ１０は検索キーワードとマッチングする連動広告情報３０を抽出する。この時、予め設定した所定数の連動広告情報３０を抽出する。
そして、広告連動制御サーバ１０は後述する特定の方法で抽出した連動広告情報３０の出力順序を決定し、所定数の連動広告情報３０をユーザ端末２の連動広告露出アプリケーション４に伝送する。
次に、連動広告露出アプリケーション４は連動広告情報３０と出力順序の情報を保存し、ユーザのキー操作により選択した連動広告情報３０を順に出力することができる。
連動広告出力領域２２でユーザの操作により、次順または前順の連動広告情報３０を出力することができるように、連動広告出力領域２２には矢印が表示されたり、タッチ式にページめくり機能をウェブブラウザで行うように設定する。
ユーザが複数の連動広告情報３０を順次的に閲覧する途中、いずれかの連動広告情報３０Ａ、３０Ｂ、３０Ｃ、３０Ｄ、３０Ｅをクリックして詳細情報を閲覧することができるように、各連動広告情報３０Ａ、３０Ｂ、３０Ｃ、３０Ｄ、３０Ｅには連動広告のクリック当たり広告費用の一部を累積加算して、ユーザの商品購買支援金として提供するための累積積立金情報２４が共に掲載される。
複数の連動広告情報３０Ａ、３０Ｂ、３０Ｃ、３０Ｄ、３０Ｅのうち、いずれかの連動広告情報をユーザがタッチして選択すると、図９に示すように連動広告が検索広告出力領域２０を覆うように拡大出力されたメイン連動広告出力領域２５を生成するように連動広告露出アプリケーション４がウェブブラウザを制御する。
【００５３】
好ましくは、メイン連動広告出力領域２５にもユーザの操作により、次順または前順の連動広告に入れ替えて出力するための矢印２６が表示されたり、タッチ式にページめくり機能をウェブブラウザで行うように設定する。
ユーザ端末２から広告連動制御サーバ１０に伝送された検索広告のＵＲＬが検索キーワードマッチング未登録の状態である場合は、広告連動制御サーバ１０は検索広告のＵＲＬを検索キーワード推薦ウィンドウ６０に掲載する。
この検索キーワード推薦ウィンドウ６０には検索キーワード登録画面移動ボタン６２が備えられており、検索キーワード登録画面移動ボタン６２をユーザがクリックすると、検索広告ＵＲＬ情報チュルリョクラン６４が表示され、マッチングされる検索キーワード入力フィールド６６と推薦ボタン６８が表示される。
そして、広告連動制御サーバ１０は検索広告のＵＲＬに対して複数ユーザの検索キーワード推薦登録を受け、検索検索キーワードに対して発生される推薦回数を演算する。推薦回数が一定の回数を超える場合、正式に検索広告のＵＲＬと検索キーワードをマッチングさせて登録する。
例えば、検索キーワードがまだマッチング登録されていない特定の検索広告のＵＲＬに対して、「登山用品」という検索キーワード推薦登録をあるユーザが行った状態で、複数のユーザがＵＲＬの検索広告には「登山用品」という検索キーワードが似合うと推薦した場合、広告連動制御サーバ１０は検索広告のＵＲＬに対して検索キーワードを確定登録する。
好ましくは、推薦情報６９は検索キーワードのみでなく、推薦情報６９ａも共に表示して推薦を奨励することができる。また、検索広告ＵＲＬの以外にも、より多くの検索広告のＵＲＬに対する検索キーワードの推薦が可能なウェブページへの移動ボタン７０がページの下端に表示される。
【００５４】
図１１は本発明の一実施形態に係るスマートフォンベースの連動広告出力システムを通じた露出指数演算要素を示す図であり、図１２は本発明の一実施形態に係るスマートフォンベースの連動広告出力システムによる露出指数別露出頻度の調節過程を示すフローチャートである。
図１１と図１２を参照すると、本発明の一実施形態に係るスマートフォンベースの連動広告出力システムに含まれた連動広告情報３０は、好ましくは、クリック単価が大きい順にソートしてもよく、商品の売り上げが高い順にソートしてもよく、累積積立金が大きい順にソートしてもよく、露出指数が大きい順にソートしてもよい。
クリック単価とは、消費者が１クリックする時、広告を行う広告主が支払わなければならない広告費用を意味する。広告を代行する業者（例えば、グーグルなど）においては、クリック当たり広告費用が大きい順に入札して露出させることが好ましい。
累積積立金は、前述したように、商品や検索キーワードに含まれた商品広告を閲覧した時に広告主が支払わなければならない広告費用の一部を累積加算して商品を購買するバイヤーに購買支援金として提供するためのものである。累積積立金が大きい順に連動広告をソートするように設定すると、購買確率が高くなることは当然である。
商品の販売率が高い順に表示するということは、実質的な販売率が高い商品広告の順に再ソートするというものである。これは実際に多くのバイヤーの購買が行われる順序である。
【００５５】
好ましくは、本発明の一実施形態に係るスマートフォンベースの連動広告出力システムは、クリック単価が大きい順、商品販売率が高い順、及び累積積立金が多い順に適用して演算した露出指数を用いて、露出指数が大きい順から低い順にソートし、各露出指数のユーザクリック数をカウントして高い露出指数の連動広告が低い露出指数の連動広告より多く露出するように広告連動制御サーバ１０からウェブブラウザをモニタし、連動広告露出アプリケーション４を制御する。
露出指数演算テーブル７４には業者名７４Ａと、クリック単価情報（ＣＰＣ金額）７４Ｂ、ＣＰＣの金額に比例して露出するべき頻度を表示したＣＰＣ金額連動露出頻度７４Ｃ、クリック時の金額加算率情報７４Ｄ、重み付け値情報（例えば、販売率などを通じた販売者信頼感指数）７４Ｅ、最終希望露出指数７４Ｆ、露出指数を用いて再ソートした最終ソート順位情報７４Ｇが表示され、連動広告情報内には再ソート順位情報７６が含まれている。
【００５６】
好ましくは、広告の出力順序は所定数が抽出され、抽出された広告情報はランダムに出力するように設定することも可能であり、１順位ソート広告情報のみが指定され、残りの順位の広告情報は広告連動制御サーバ１０からランダムに再ソートして、ユーザ端末２に伝送することも可能である。
即ち、広告の出力順序は所定数が抽出され、抽出された広告情報の１順位は露出指数が大きい順に出力し、２順位から残りの順位はランダムに出力するように設定することもできる。
更に、好ましくは、広告連動制御サーバ１０から伝送された連動広告情報３０を全てのユーザが閲覧するようにするためには、少なくともユーザ端末２に伝送された連動広告情報３０を単に累積積立金が大きい順のみにソートしはならない。
一方、本発明の他の実施形態に係るスマートフォンベースの連動広告出力システムに含まれた広告連動制御サーバ１０は、連動広告露出アプリケーション４と連動して露出頻度を制御することができる。
即ち、広告連動制御サーバ１０は連動広告露出アプリケーション４からユーザの特定の連動広告に対する露出操作信号を受信してカウントしながら、図１１に示すように、予め露出順位が定められた複数の連動広告について露出順位による露出頻度で露出するように、露出頻度が低い連動広告は連動広告の抽出時、より頻繁に抽出されるように制御する。
このために、広告連動制御サーバ１０は各連動広告３０の露出回数をカウントする。
【００５７】
図１３は本発明の他の実施形態に係るスマートフォンベースの連動広告出力システムを通じてウェブブラウザに出力される検索結果を選択した後、画面と連動広告情報の検索キーワードを変更した状態を示す図である。
図１３を参照すると、本発明の他の実施形態に係るスマートフォンベースの連動広告出力システムは、メイン連動広告出力領域２５でマッチング検索キーワード（例えば、花の配達）と他のリンク情報（例えば、造園）をユーザが選択したことを示す信号を受信すると、広告連動制御サーバ１０はユーザ端末２に出力する連動広告３０を新規に選択したリンク情報とマッチングした連動広告３０’に入れ替えて伝送する。
即ち、ユーザがいずれかの検索ポータルのメインページにアクセスし、そのメインページの検索キーワード入力フィールド１４に特定の検索キーワード（例えば、花束）を入力し、検索ボタン１６をクリックすると、検索結果出力領域１２には複数の検索結果情報に関するハイパーテキストが出力される。
その状態で、ユーザが検索結果出力領域１２に出力される複数のハイパーリンクのうち、いずれかのハイパーリンク（例えば、○○○花の配達）を選択すると、連動広告露出アプリケーション４は○○○花の配達のホームページに接続される。
【００５８】
次に、連動広告露出アプリケーション４は検索広告（例えば、○○○花の配達）のＵＲＬ情報をフックして広告連動制御サーバ１０に伝送する。
それによって、広告連動制御サーバ１０はフックした検索広告のＵＲＬを通じて、ＵＲＬと予めマッチングして登録した検索キーワードが存在するか否かを判断し、その検索キーワードにより分類した複数の連動広告３０のうち、上位ランクの所定数の連動広告３０を抽出し、ユーザ端末２に伝送して出力する。
この時、連動広告３０は下端の連動広告出力領域２２に出力され、ユーザの選択に応じて、順次的に次順の連動広告３０が露出するようにめくる。いずれかの連動広告３０の詳細情報を閲覧するために、連動広告出力領域２２に露出した広告（例えば、×××花の配達）をクリックすると、メイン連動広告出力領域２５に連動広告の詳細情報が出力される。
その状態で、ユーザがメイン連動広告出力領域２５に出力された連動広告の詳細情報のいずれか（例えば、造園）を選択すると、広告連動制御サーバ１０は連動広告とマッチングした検索キーワード（例えば、花の配達）を、新しい検索キーワード（例えば、造園）に変更し、その検索キーワード（例えば、造園）とマッチングした連動広告を抽出してユーザ端末２に伝送する。
【００５９】
図１４は本発明の他の実施形態に係るスマートフォンベースの連動広告出力システムを通じて出力した累積積立金の処理状態を示す図であり、図１５は本発明の他の実施形態に係るスマートフォンベースの連動広告出力システムを通じて出力した予想外累積積立金の処理状態を示す図である。
図１４と図１５を参照すると、本発明の他の実施形態に係るスマートフォンベースの連動広告出力システムは、連動広告出力領域２２に掲載した累積積立金情報２４に対して、その累積積立金は、あるユーザが連動広告の商品を購買する際、ユーザの商品購買支援金として提供するので、購買が行われる瞬間に累積積立金はゼロ（０）状態にリセットする。
この時、本発明の他の実施形態に係るスマートフォンベースの連動広告出力システムは、広告主の設定に応じて、累積積立金をリセットする時に、所定金額が自動的に蓄積されるように、広告連動制御サーバ１０により行うことができる。
【００６０】
また、本発明の他の実施形態に係るスマートフォンベースの連動広告出力システムは、累積積立金を完全にリセットせず、一定の金額を下回る場合、最小残りの積立金を常時維持するように、広告主が広告連動制御サーバ１０に設定することもできる。
即ち、累積積立金が２０，５００円であったが、ユーザの購買行為が発生して２０，０００円の累積積立金が差し引かれ、５００円が残った場合、商品広告主が最小残り積立金を１０，０００円に設定すると、累積積立金５００円に１０，０００円を合わせて１０，５００円になるようにする。それによって、１０，０００円以下に累積積立金が低下した場合、広告連動制御サーバ１０は１０，０００円を自動的に合算して出力する。
また、本発明の他の実施形態に係るスマートフォンベースの連動広告出力システムは、連動広告出力領域２２に露出することができる全ての連動広告３０をユーザが閲覧できるように促して、重複して連動広告３０を閲覧できるように奨励することができるように、予想外インセンティブ８４の提供情報を連動広告に含ませて提供する。
即ち、広告連動制御サーバ１０は複数の連動広告を事前に順位をソートしたソート順位情報８０を備える。ユーザ端末２に露出することができる連動広告３０はソート順位情報８０に含まれた連動広告のうち、一部の数が該当する。
５順位に属する連動広告３０がユーザ端末２に露出することができるように提供すると仮定して、その順序が第１、３、２、４、５順位連動広告（スマートサーチ広告（ＳＳＡＤ）という）にソートした状態でる場合、広告連動制御サーバ１０は連動広告出力領域２２に出力される連動広告３０が一定の経路を通じて閲覧した時、追加のインセンティブ積立金を画面に出力するように設定することができる。
例えば、第１、３、２、４、５順位の連動広告を順次的に露出させ、再び第４順位の連動広告を露出させるように、矢印２６をタッチするユーザのキー操作が発生した場合、次に、予め設定した予想外インセンティブ８４情報が連動広告出力領域２２に出力するようになる。
従って、広告連動制御サーバ１０には予想外インセンティブパス情報８２が格納されており、それによってユーザは連動広告出力領域２２を通じて閲覧可能な連動広告３０は全て閲覧し、また、重複的に連動広告３０を持続閲覧することができる。
【００６１】
図１６は本発明の他の実施形態に係るスマートフォンベースの連動広告出力システムを通じて出力した連動広告の出力操作の状態を示す図である。
図１６を参照すると、本発明の他の実施形態に係るスマートフォンベースの連動広告出力システムは、検索キーワード入力フィールド１４でいずれかの検索キーワードを入力する場合、例えば「花」という検索キーワードを入力した場合は、検索キーワード入力フィールド１４を通じて既存の検索ポータルの検索キーワード入力フィールドで露出することと同様に、関連検索キーワード情報８６を出力することができる。
好ましくは、本発明の他の実施形態に係るスマートフォンベースの連動広告出力システムは、広告連動制御サーバ１０に関連検索キーワード情報８６を構築し、ユーザ端末２に搭載された連動広告露出アプリケーション４を通じて検索キーワード入力フィールド１４に関連検索キーワード情報８６の関連検索キーワードが選択的に表示される。
このため、連動広告出力領域２２にはユーザの操作により、次順または前順の関連検索キーワードとマッチングした連動広告に入れ替えて出力するための矢印２７が上下端にそれぞれ表示されたり、上方及び下方にタッチしてページめくり機能をウェブブラウザで行うように設定する。
即ち、「花」という検索キーワードを検索キーワード入力フィールド１４に入力した状態で検索ボタン１６をクリックすると、連動広告出力領域２２には「花」という検索キーワードに分類した連動広告をユーザの操作により順次的に所定数出力することができるように、矢印２６が備えたり、またはプッシュめくり機能で出力するように、ウェブブラウザを制御し、上下端にそれぞれ表示された矢印２７を操作する場合、「花」の関連検索キーワードである「花よりおじいさんコーヒー」または「花言葉が麺」などの関連検索キーワードで検索キーワード入力フィールド１４に入力した検索キーワードを変更することができる。
従って、本発明の他の実施形態に係るスマートフォンベースの連動広告出力システムは、非常に迅速に関連検索キーワードに連動した連動広告を出力することができる。
【００６２】
一方、本発明の他の実施形態に係るスマートフォンベースの連動広告出力システムは、関連検索キーワードを検索ポータルのみでなく、独自のＤＢを用いて行うこともできる。即ち、広告連動制御サーバ１０は検索ポータルの検索キーワード入力フィールドと連動せず、広告連動制御サーバ１０に構築された検索ＤＢを用いて、既登録広告情報を抽出することもできる。
一方、本発明の実施形態に係るスマートフォンベースの連動広告出力システムは、単に前述した実施形態に限定されるものではなく、その技術的要旨を逸脱しない範囲内で様々な変更が可能である。
【符号の説明】
【００６３】
２  ユーザ端末
４  連動広告露出アプリケーション
６  検索広告提供サーバ
８  連動広告主端末
１０  広告連動制御サーバ
【図１】
2016530599.tif 000003
【図２】
2016530599.tif 000004
【図３】
2016530599.tif 000005
【図４】
2016530599.tif 000006
【図５】
2016530599.tif 000007
【図６】
2016530599.tif 000008
【図７】
2016530599.tif 000009
【図８】
2016530599.tif 000010
【図９】
2016530599.tif 000011
【図１０】
2016530599.tif 000012
【図１１】
2016530599.tif 000013
【図１２】
2016530599.tif 000014
【図１３】
2016530599.tif 000015
【図１４】
2016530599.tif 000016
【図１５】
2016530599.tif 000017
【図１６】
2016530599.tif 000018
【国際調査報告】
2016530599.tif 000019
2016530599.tif 000020
2016530599.tif 000021
2016530599.tif 000022